(57)【特許請求の範囲】
【請求項１】
油回収器と配管接続する２基の漉器と、油回収槽と配管接続する２台の油回収ポンプと、漉器に配管接続され、油回収槽と配管連通するゴミ回収箱とを備えた油回収装置において、油回収ポンプとして逆転型ポンプを使用し、油回収槽底部と油回収ポンプの吐出側とを連結する逆洗配管を設けると共に、２基の漉器と２台の油回収ポンプとを直列接続する回収配管と、該回収配管同志を連通する連通配管とを設け、油回収ポンプの逆転駆動により、油回収槽内の回収排水を使用して逆洗するようにしたことを特徴とする油回収装置。
【請求項２】
逆洗配管を分岐延在させ、海水吸入箱に連通させたことを特徴とする請求項１記載の油回収装置。
【発明の詳細な説明】
【０００１】
【発明の属する技術分野】
本発明は、海上に流出した油を回収する油回収装置に関する。
【０００２】
【従来の技術】
オイルタンカーの事故等により海上に流出した油は、海洋汚染の発生を防ぐため早急に回収しなければならない。この流出油の回収には種々の手段が構じられている。
従来より効果的な油回収装置の一つとして、ポンプで吸引し、漉器で漉して回収する船舶搭載型の油回収装置が使用されている。
【０００３】
図３、図４は漉器を使用する従来の船舶搭載型の油回収装置のラインを示すものであり、以下にその概要を説明する。
１は油回収器であって、海面に没水され、海面上層に浮遊する流出油を吸引し、回収するもので、他の海上浮遊物の吸込みを防ぐため、格子構造等により所定寸法以下のもののみ吸引するようになっている。
【０００４】
２、３は漉器であって、前記油回収器１と回収配管Ａにより並列に連結されており、切替え使用される。また、スクリーンを内蔵しており、ここでは後段のポンプに通し得ないゴミを漉して吸引するようになっている。
４、５は油回収ポンプであって、前記漉器２、３に対して回収配管Ｂにより並列に連結されており、２基同時に、あるいは、一方のメンテナンス等運転休止時には、他の一方で吸引できるようになっている。
【０００５】
６は油回収槽であって、油回収ポンプ４、５の吐出側に回収配管Ｃで連結されており、回収油を貯蔵する。
７はゴミ回収箱であって、漉器２、３の上流側と逆洗配管Ｄを介して連結されており、漉器２、３で漉されたゴミが回収される。また、該ゴミ回収箱７は油回収槽６とも排水配管Ｅで連結されており、漉器２、３の目詰まりを逆洗するときやゴミを回収する際に使用する洗浄水を油回収槽６に送給し、同油回収槽６に貯蔵する。
【０００６】
８は逆洗用ポンプであって、漉器２、３の下流側に逆洗配管Ｆで連結されており、海水吸入箱９から海水を吸入し、漉器２、３の下流側に海水を送給する。
図中ａ、ｂ、ｃ、ｄは回収配管上、漉器２と３の前後に挿設された切替え弁であり、ｅ、ｆ、ｇ、ｈは回収配管上、油回収ポンプ４と５の前後に挿設された切替え弁であり、ｉ、ｊ、ｋ、ｌは逆洗配管上、漉器２と３の前後に挿設された切替え弁である。
【０００７】
このような構成であるから、いま、図３に示すように切替え弁ａ、ｂおよびｅ、ｆ、ｇ、ｈを開き、切替え弁ｃ、ｄおよびｉ、ｊ、ｋ、ｌを閉じた状態とし、油回収ポンプ４と５を運転すると、流出油は油回収器１から吸引され、漉器２を径て、油回収ポンプ４と５を通り、油回収槽６に回収されることになる。このとき、漉器３は切替え運転のために待機している状態にある。
【０００８】
漉器２のスクリーンが目詰まりしたり、漉器２の上流側にゴミが一杯に詰まった場合には、切替え弁ｃ、ｄを開き、同時に切替え弁ａ、ｂを閉じて切替え運転を行なう。つまり、流出油は油回収器１から漉器３を径て、油回収ポンプ４、５に吸引され、継続して油回収槽６に回収される。
【０００９】
このとき、漉器２は汚れた状態にあるから、切替え弁ｉ、ｊを開き、逆洗用ポンプ８を運転して逆洗を行なう。逆洗用ポンプ８は海水吸入箱９より海水を吸入し、漉器２に圧送するので、漉器２のスクリーンの目詰まりは逆洗され、漉器２の上流側に詰まったゴミは洗浄水に伴われて、ゴミ回収箱７に送給回収される。図４は切替え運転をし、逆洗を行なっている状態である。
【００１０】
漉器２の洗浄が完了したら、切替え弁ｉ、ｊを閉じて、漉器２は次の切替え運転に備えて待機することになる。
また、ゴミ回収箱７には底にスクリーンが設けられており、ゴミ回収箱７にはゴミのみが回収され、洗浄水はその底部より排水配管Ｅを介し油回収槽６に送給され、回収油と一緒に貯蔵される。
【００１１】
【発明が解決しようとする課題】
上述のごとく従来型の構成では、逆洗用ポンプ８を設け、海水を洗浄水として使用している。
このため、逆洗のためだけにポンプを設けなければならないこと、および、洗浄水として使用する大量の海水が油回収槽に溜り、回収油の濃度を下げてしまい、結果的に流出油の回収効率を下げてしまうと云う不都合があった。
【００１２】
本発明は、叙上の欠点に鑑みなされたものであって、油回収ポンプを逆洗用に兼用し、回収排水を洗浄水として利用することにより、油回収装置のコストダウンを図ると共に、流出油の回収効率を向上させることを目的とする。
【００１３】
【課題を解決するための手段】
油回収ポンプに逆転型ポンプを使用し、切替え弁を挿設した逆洗配管を油回収槽の底部と油回収ポンプの吐出側に連通させて設けると共に、２基の漉器と２台の油回収ポンプとを直列に接続する回収配管と、切替え弁を挿設し、回収配管同志を連通する連通配管を設け、油回収ポンプの逆転により、油回収槽に溜まった回収排水を利用して漉器の逆洗を行なうようにした。
【００１４】
【発明の実施の形態】
以下図１、図２に沿って本発明の実施の形態について説明する。なお、図３、図４に示す従来型のものと同一の部分については、同一の符号を付し、詳細な説明は省略する。
図において１０、１１は油回収ポンプであって、例えば、一軸偏心ねじポンプ等逆転型のポンプが使用されている。
Ｇは逆洗配管であって、油回収槽６の底部と油回収ポンプ１０、１１の吐出側とに連結されている。また、該逆洗配管Ｇは分岐延在され、海水吸入箱９にも連結されている。
【００１５】
ｍ、ｎ、ｏ、ｐは逆洗配管Ｇ上、夫々油回収ポンプ１０、１１、油回収槽６、海水吸入箱９との連結部の手前に挿設された切替え弁である。
Ｉは連通配管であって、２基の漉器２、３と、２台の油回収ポンプ１０、１１とを直列連結する回収配管Ｈ同志を連通している。ｑは連通配管Ｉ上に挿設された切替え弁である。
【００１６】
本発明は以上の通りの配管であつて、いま、図１においては切替え弁ａ、ｂ、ｅ、ｆ、ｇ、ｈ、ｑを開いており、切替え弁ｃ、ｄ、ｍ、ｎ、ｏ、ｐ、ｉ、ｋを閉じているので、油回収ポンプ１０、１１を正転駆動すると、流出油は油回収器１から吸引され、漉器２を径て、油回収ポンプ１０、１１を通って、油回収槽６に回収される。
【００１７】
漉器２のスクリーンが目詰まりしたり、漉器２の上流側にゴミが溜った場合には、切替え弁ａ、ｂを閉じ、同時に切替え弁ｃ、ｄを開けると、今度は流出油は油回収器１から吸引され、漉器３を径て、油回収ポンプ１０、１１を通って、油回収槽６に回収されることになる。
【００１８】
さて、漉器３を通す切替え運転に入ると、漉器２を逆洗することになるが、逆洗にあたっては、図２に示すように切替え弁ｂ、ｍ、ｏ、ｉを開き、切替え弁ｑ、ｆを閉じる。この状態で油回収ポンプ１０を逆転駆動すると、油回収槽６に溜まっている回収排水が、逆洗配管Ｇを通って油回収ポンプ１０から吸引配管Ｈを逆流し、漉器２の下流側に送給され、漉器２のスクリーンが逆洗されると共に、漉器２の上流側に溜ったゴミがゴミ回収箱７に回収される。
【００１９】
上記逆洗の状態において、油回収ポンプ１１は正転駆動されているので、流出油の回収は漉器３を介して、油回収ポンプ１１により継続して行なわれる。
このように逆洗のときは１台のポンプによる回収となるが、逆洗の時間は回収作業に比べて短いので、全体の回収効率に影響を与える程ではない。
漉器２の逆洗が終了したら切替え弁ｑ、ｆを開き、切替え弁ｂ、ｍ、ｏ、ｉを閉じ、油回収ポンプ１０を正転駆動に切替えることにより漉器３を介して、２台のポンプ１０、１１による回収が再開される。
【００２０】
この状態で漉器２は、次の切替え運転に備えて待機することになる。そして、漉器２を使った運転中に、漉器３を逆洗する場合も前記と同要領で行なえる。即ち、切替え弁ｋ、ｄ、ｎ、ｏを開き、切替え弁ｑ、ｈを閉じ、回収ポンプ１１を逆転駆動して行なう。
【００２１】
なお、逆洗にあたっては、油回収槽６に溜まっている回収排水が洗浄水として使用されるが、この洗浄水は再びゴミ回収箱７から油回収槽６に回収され、循環して使用される。
もし、洗浄水が不足するときには、切替え弁ｏを閉じ、切替え弁ｐを開いて海水吸入箱９から海水を補給することができる。この場合でも海水を補給する程度であり、全体に大量の海水を使用するものではない。
【００２２】
【発明の効果】
本発明は、油回収ポンプとして逆転型ポンプを使用し、これを逆洗ポンプとして兼用せしめたので、逆洗専用のポンプを設備する必要がなくなり、油回収装置のコストダウンが図れた。
また、油回収槽に溜まっている回収排水を、逆洗時の洗浄水として使用するようにしたので、油回収槽に大量の海水を蓄えることがなくなり、結果的に流出油の回収効率を向上させることができた。
【図面の簡単な説明】
【図１】本発明による油回収装置のラインを示す図。
【図２】本発明による油回収装置の逆洗状態を示す図。
【図３】従来の油回収装置のラインを示す図。
【図４】従来の油回収装置の逆洗状態を示す図。
【符号の説明】
１  油回収器                      ２、３  漉器
４、５  油回収ポンプ              ６  油回収槽
７  ゴミ回収箱                    ８  逆洗用ポンプ
９  海水吸入箱                  １０、１１  油回収ポンプ
Ａ、Ｂ、Ｃ、Ｈ  回収配管          Ｄ、Ｆ、Ｇ  逆洗配管
Ｅ  排水配管                      Ｉ  連通配管
ａ、ｂ、ｃ、ｄ  切替え弁          ｅ、ｆ、ｇ、ｈ  切替え弁
ｉ、ｊ、ｋ、ｌ  切替え弁          ｍ、ｎ、ｏ、ｐ、ｑ  切替え弁
【図１】
0003977535.tif 000002
【図２】
0003977535.tif 000003
【図３】
0003977535.tif 000004
【図４】
0003977535.tif 000005